(57)【要約】【課題】  内部に収容した調湿材によって床下空間を調湿させるもので、特に、床下地面に対する下側シート材の接触面をできるだけ少なくすると共に、下側シート材と床下地面との間に空気溜まりが形成されるようにして、下側シート材に結露が発生するのを抑制させ、カビの発生を防止することができる床下用調湿マットの提供。【解決手段】  非透湿性シート材を下側シート材１１とし、透湿性シート材を上側シート材１２としたマット袋体１を備え、このマット袋体の内部に少なくとも調湿材２が収容されている床下用調湿マットにおいて、下側シート材の外表面に、床下地面に対して非接触の凹部３が形成されている。【選択図】  図１    
0003117054.tif 000002
【実用新案登録請求の範囲】
【請求項１】
非透湿性シート材を下側シート材とし、透湿性シート材を上側シート材としたマット袋体を備え、このマット袋体の内部に少なくとも調湿材が収容されている床下用調湿マットにおいて、
前記下側シート材の外表面に、床下地面に対して非接触の凹部が形成されていることを特徴とする床下用調湿マット。
【請求項２】
マット袋体に下側シート材と上側シート材を重合状態に接合した重合接合部によって区画された複数個の袋状部が形成され、この各袋状部に少なくとも調湿材が収容され、各袋状部における下側シート材の外表面に、床下地面に対して非接触の凹部が形成されている請求項１記載の床下用調湿マット。
【請求項３】
前記マット袋体又は各袋状部に、調湿材に加えて、消臭剤、抗菌剤、抗カビ剤、殺菌剤、香剤のうちの何れか１種又は２種以上が収容されている請求項１又は２記載の床下用調湿マット。
【請求項４】
凹部が多数の窪みである請求項１又は２又は３記載の床下用調湿マット。
【請求項５】
凹部が多数の筋状溝である請求項１又は２又は３記載の床下用調湿マット。
【考案の詳細な説明】
【技術分野】
【０００１】
本考案は、床下空間の調湿を行うために、床下地面に敷設して使用する床下用調湿マットに関する。
【背景技術】
【０００２】
床下空間は、土壌からの蒸発水分によって多湿になりがちであり、これが木材腐朽菌の繁殖を促し、湿気を好むシロアリによる被害の原因にもなっている。また、空気の滞留によって特有の異臭もある。
そこで、従来では、吸湿剤を床下地面に直接散布して、床下空間の湿気を除湿させるようにしていた。
また、従来、非透湿性シート材を下側シート材とし、透湿性シート材を上側シート材としたマット袋体を備え、このマット袋体に吸湿剤を収容するようにした床下用調湿マットが提案されている（特許文献１参照）。
【０００３】
しかしながら、前者のように吸湿剤を床下地面に直接散布するものでは、当初は吸湿剤が湿気を吸収して床下空間の湿気を除湿できるが、床下地面から発生する水蒸気を直接吸収するために、吸湿能力が次第に低下し、短時間で飽和状態になって床下空間を長期的に低湿度に維持することが困難になるという問題があった。
【０００４】
後者の床下用調湿マットでは、マット袋体の内部に収容した調湿材により、床下空間の湿気を調湿して低湿度に維持できる。また、マット袋体の下側面に、重合接合部に沿ってマット袋体の外方に通気空間を形成させ、前記重合接合部に通気空間からマット袋体の上面側に通じる通気孔を形成させているので、非透水シートによる下側シート材の結露を減少させることができるものの、結露の発生を十分に抑制できるまでには至っていなかった。
【０００５】
従って、従来の床下用調湿マットを床下地面に敷設して使用した場合には、床下地面から蒸発した水蒸気によって下側シート材の表面に結露が発生し、カビが発生することがあるという問題を残していた。
【特許文献１】特開２００２−３３２６９５号公報
【考案の開示】
【考案が解決しようとする課題】
【０００６】
本考案は、上述のような従来の問題を解決するためになされたもので、内部に収容した調湿材によって床下空間を調湿させるもので、特に、床下地面に対する下側シート材の接触面をできるだけ少なくすると共に、下側シート材と床下地面との間に空気溜まりが形成されるようにして、下側シート材に結露が発生するのを抑制させ、カビの発生を防止することができる床下用調湿マットを提供することを課題としている。
【課題を解決するための手段】
【０００７】
上記課題を解決するために、本考案の床下用調湿マット（請求項１）は、
非透湿性シート材を下側シート材とし、透湿性シート材を上側シート材としたマット袋体を備え、このマット袋体の内部に少なくとも調湿材が収容されている床下用調湿マットにおいて、
前記下側シート材の外表面に、床下地面に対して非接触の凹部が形成されている構成とした。
【０００８】
又、本考案の床下用調湿マット（請求項２）は、
マット袋体に下側シート材と上側シート材を重合状態に接合した重合接合部によって区画された複数個の袋状部が形成され、この各袋状部に少なくとも調湿材が収容され、各袋状部における下側シート材の外表面に、床下地面に対して非接触の凹部が形成されている構成とした。
【０００９】
又、本考案の床下用調湿マット（請求項３）は、
前記マット袋体又は各袋状部に、調湿材に加えて、消臭剤、抗菌剤、抗カビ剤、殺菌剤、香剤のうちの何れか１種又は２種以上が収容されている構成とした。
【００１０】
又、本考案の床下用調湿マット（請求項４）は、凹部が多数の窪みであり、又、本考案の床下用調湿マット（請求項５）は、凹部が多数の筋状溝である構成とした。
【考案の効果】
【００１１】
本考案の床下用調湿マット（請求項１）にあっては、これを床下地面に敷設させると、床下空間の湿気を調湿して、低湿度に維持できる。
特に、下側シート材の外表面に、床下地面に対して非接触の凹部を形成させているので、床下地面に対する下側シート材の接触面をできるだけ少なくすることができるし、下側シート材と床下地面との間に空気溜まりを形成させることができる。
これにより、下側シート材に結露が発生するのを抑制させ、カビの発生を防止することができる
【００１２】
又、調湿材に加えて、消臭剤、抗菌剤、抗カビ剤、殺菌剤、香剤のうちの何れか１種又は２種以上を収容させると（請求項３）、調湿効果だけでなく、消臭効果、抗菌効果、抗カビ効果、殺菌効果、芳香効果を得ることができる。
【考案を実施するための最良の形態】
【００１３】
図１は本考案の床下調湿用マットの１実施例を示す切欠斜視図、図２は凹部を多数の窪みで形成した場合を示す下側シート材の底面図、図３は凹部を多数の筋状溝で形成した場合を示す下側シート材の底面図である。
【００１４】
この床下用調湿マットは、熱可塑性の非透水性シート材を下側シート材１１とし、不織布による透湿性シート材を上側シート材１２としたマット袋体１を備えている。
実施例では、下側シート材１１と上側シート材１２を重合状態に接合した重合接合部１３によって区画された複数個の袋状部１ａを形成して、この各袋状部１ａに少なくとも調湿材２を収容させている。
又、前記上側シート材１２としては、透湿性を有していればよく、防水性、非防水性は問わない。
【００１５】
前記袋状部１ａは、下側シート材１１に複数個の容器１１ａを形成し、この上に平らな上側シート材１２を重ねて両シート材１１，１２を接合することにより袋状に形成したものになっている。
【００１６】
このように形成することにより、隣り合う各袋状部１ａ，１ａ間に通気空間１４が形成されるもので、この通気空間１４は、重合接合部１３に沿ってマット袋体１の外方に通じるように形成されている。
この通気空間１４は湿気の抜け道として機能し、床下地面からの湿気をマット袋体１の外方に逃がすことができる
【００１７】
又、前記重合接合部１３には、通気空間１４からマット袋体１の上面に貫通して通気孔１５が形成されており、この通気孔１５は重合接合部１３の全範囲に分布するように形成されている。
【００１８】
この通気孔１５を通して床下地面から蒸発した水蒸気をマット袋体１の上方に通気させ、この通気孔１５を通った湿気は、上側シート材１２を通して調湿材２により吸収されるため、床下空間を低湿度に維持することができる。
【００１９】
又、前記各袋状部１ａにおける下側シート材１１の外表面に、床下地面に対して非接触の凹部３が形成されている。
この凹部３は、図２に示すように、下側シート材１１に、例えばエンボス加工で形成した多数の窪み３ａであってよいし、図３に示すように、下側シート材１１に形成した多数の筋状溝３ｂでもよい。
この筋状溝３ｂは、マット袋体１の横方向のみに形成してもよいし、縦方向のみに形成してもよいし、図３に示すように、縦横方向に形成してもよい。
【００２０】
前記各袋状部１ａにそれぞれ収容されている調湿材２としては、セピオライト、ゼオライト、シリカゲル、珪藻土等を用いることができる。
【００２１】
又、前記調湿材２に加えて、消臭剤、抗菌剤、抗カビ剤、殺菌剤、香剤のうちの何れか１種又は２種以上を組み合わせて収容させるようにしてもよい。
この場合、担体に消臭剤を含有させた粒状又は粉状の消臭体、担体に抗菌剤を含有させた粒状又は粉状の抗菌体、担体に抗カビ剤を含有させた粒状又は粉状の抗カビ体、担体に殺菌剤を含有させた粒状又は粉状の殺菌体、担体に香剤を含有させた粒状又は粉状の香体に形成することができる。
また、前記消臭体、抗菌体、抗カビ体、殺菌体、香体を透気性膜によってコーティングしたカプセル体に形成することもできる。
【００２２】
このように、担体に含有させたり、カプセル体に形成することにより、薬剤成分の放出をコントロールさせて薬剤成分を徐放させることができ、長期に亘って薬効作用を維持させることができる。
【００２３】
このように形成された床下用調湿マットは、上側シート材１２が上面になるようにして、これを床下地面に敷設して使用することになる。
そして、上側シート材１２が透湿性シート材であることから、この上側シート材１２を通して内部に収容した調湿材２により、床下空間の調湿が行われる。
【００２４】
また、内部に消臭剤を収容した場合には、床下空間の嫌な臭いについても、上側シート材１２を通して消臭剤により消臭することができる。
同様に、抗菌剤を収容させると抗菌効果が得られ、抗カビ剤を収容させると抗カビ効果が得られ、殺菌剤を収容させると殺菌効果が得られ、香剤を収容させると芳香効果が得られる。
【００２５】
又、下側シート材１１に非吸水性の熱可塑性シート材を用いているため、調湿材の直接散布のような不具合を防止できるが、床下地面から蒸発した水蒸気が下側シート材１１によって遮られるため、結露が発生することがあり、これがカビの発生原因になってしまうという問題が残る。
【００２６】
このような問題に対して、下側シート材１１の外表面に、床下地面に対して非接触の凹部３を形成させているので、床下地面に対する下側シート材１１の接触面を少なくすることができるし、下側シート材１１と床下地面との間に空気溜まりを形成させることができる。
これにより、下側シート材１１に結露が発生するのを抑制させ、カビの発生を防止することができる。
【図面の簡単な説明】
【００２７】
【図１】本考案の床下調湿用マットの１実施例を示す切欠斜視図である。
【図２】凹部を多数の窪みで形成した場合を示す下側シート材の底面図である。
【図３】凹部を多数の筋状溝で形成した場合を示す下側シート材の底面図である。
【符号の説明】
【００２８】
１  マット袋体
１ａ  袋状部
１１  下側シート材
１１ａ  容器
１２  上側シート材
１３  重合接合部
１４  通気空間
１５  通気孔
２  調湿材
３  凹部
３ａ  窪み（凹部）
３ｂ  筋状溝（凹部）
【図１】
0003117054.tif 000003
【図２】
0003117054.tif 000004
【図３】
0003117054.tif 000005